(57)【要約】【課題】スプリンクラーの取り付けに使用する角バーと取り付けフレームとを固定する固定具において、作業性が優れた固定具を提供することを目的とする。【解決手段】平行に配置される２つの側面部１１、１１とそれらの端部を接続する上面部１２とを備え、側面部１１には、横方向に延び一端が開口した溝部１５と、溝部１５の開口１５ａ側に上側から延びる延長部１６とを有し、延長部１６は、溝部１５に取付フレーム１３０の側部１３１を配置した際、延長部１６の下端１６ａが取付フレーム１３０の側部１３１の上面より下側に位置している。【選択図】図１
2012019816.tif 000002
【特許請求の範囲】
【請求項１】
スプリンクラーの取り付けに使用する矩形の角バーと、２つの側部と中央部で形成されるコの字形状の取付フレームとを固定する固定具において、
平行に配置される２つの側面部とそれらの端部を接続する上面部とを備え、
前記側面部には、横方向に延び一端が開口した溝部と、前記溝部の開口側に上側から延びる延長部とを有し、
前記延長部は、前記溝部に前記取付フレームの側部を配置した際、当該延長部の下端が前記取付フレームの側部の上面より下側に位置していることを特徴とする固定具。
【請求項２】
請求項１に記載の固定具において、
前記溝部の下側は、折り曲げ部が形成されていることを特徴とする固定具。
【請求項３】
請求項１又は請求項２に記載の固定具において、
前記２つの側面部間の内幅寸法は、前記角バーの外幅寸法より一定以上大きくとっていることを特徴とする固定具。
【請求項４】
請求項３に記載の固定具において、
前記側面部の中央付近には、内側に膨らむ突起部を有することを特徴とする固定具。
【発明の詳細な説明】
【技術分野】
【０００１】
本発明は、固定具に関し、特に、スプリンクラーの取り付けに使用する角バーと取付フレームとを固定する固定具に関する。
【背景技術】
【０００２】
消防用のスプリンクラーは、火災発生時の初期消火を図る設備として有効な手段であると広く認識されている。スプリンクラーは、水源と加圧送水装置、配管、制御弁、流水検知装置（アラーム弁）、スプリンクラー配管、スプリンクラーヘッドから構成されている。スプリンクラー配管は送水本管から分岐されたスプリンクラー配管が天井裏に配管され、天井に設置されるスプリンクラーヘッドに接続される。スプリンクラーヘッドがねじ込み固定されるスプリンクラー配管端は、圧力試験を済ませた後、天井板支持フレームに固定された取付フレームに水平に固定される角バーと呼ばれる肉厚０．６ｍｍ程度の断面１６ｍｍ×１６ｍｍの矩形パイプを介して固定される。この際に固定に使用される金具はサイド金具と呼ばれる固定具が使用されている。
【０００３】
図７は、従来の固定具の例を示す側面図であり、図８は同じく正面図である。従来の固定具１００は、全体としてコの字状の形状をしており、２つの側面部１０１、１０１と上部には上面部１０２より構成されている。側面部１０１にはそれぞれ、取付溝１０３を有しており、取付溝１０３は、側面部１０１の側端から横方向（上面部１０２と平行）にストレート状に延びる切り込みで形成されている溝である。また、上面部１０２には、雌ねじ部１０４を有し、蝶ボルト１１０の雄ねじ部１１１が螺合して貫通する。
【０００４】
この取付溝１０３に取付フレーム（具体例は後述する）の一側面を通し、その上に角バー１２０を配置し、角バー１２０の上側から蝶ボルト１１０を締め込むことで、角バー１２０と取付フレームを固定する。
【０００５】
また、特許文献１には、溝形鋼と固定材を固定する取付金具が記載されている。
【先行技術文献】
【特許文献】
【０００６】
【特許文献１】特開平８−３８６４１号公報
【発明の概要】
【発明が解決しようとする課題】
【０００７】
固定具により、通常、角バーは取付フレームに対して直角に固定されるのが基本であるが、角バーを通そうとする位置にダクト類等、他の配管部材が設置される場合があり、その配管材を避けて角バーを固定する場合は、固定フレームに対して角バーを斜めに固定する必要がある。その場合に固定具が角バーに角度を付けて固定できることが必要である。
【０００８】
図７、８に示した従来例では、断面１６ｍｍ×１６ｍｍの矩形パイプの角バー１２０に対して、固定具１００の内側の幅寸法は１７ｍｍ程度であり、角度の調節が難しかった。
【０００９】
さらに、角バーを固定具で固定する際に、固定具を固定フレームに自立的に、安定的に仮置き出来れば、作業効率の向上に有効と考えられるので、固定具が固定フレームから脱落しにくい構造を有するとよい。
【００１０】
さらに、スプリンクラーヘッド・配管が施工された後のメンテナンス作業として、スプリンクラーヘッドの水抜き作業やヘッドの交換作業が行われることがある。その際、作業コスト低減のため、天井下からのスプリンクラーヘッドの脱着作業ができるように、スプリンクラー配管の供回り防止対策が講じられる必要がある。その際にスプリンクラー配管が固定されている角バーを固定する固定具にも大きなねじりトルクがかかるので、固定具にも角バーと固定フレームを強固に固定できる機能を有することが必要である。
【００１１】
さらに、機能を追加してもコストを抑えた固定具が求められている。
【００１２】
本発明は、上記課題に鑑みて、スプリンクラーの取り付けに使用する角バーと取り付けフレームとを固定する固定具において、作業性が優れた固定具を提供することを目的とする。
【課題を解決するための手段】
【００１３】
上記目的を達成するため、本発明の固定具は、スプリンクラーの取り付けに使用する矩形の角バーと、２つの側部と中央部で形成されるコの字形状の取付フレームとを固定する固定具において、平行に配置される２つの側面部とそれらの端部を接続する上面部とを備え、前記側面部には、横方向に延び一端が開口した溝部と、前記溝部の開口側に上側から延びる延長部とを有し、前記延長部は、前記溝部に前記取付フレームの側部を配置した際、当該延長部の下端が前記取付フレームの側部の上面より下側に位置していることを特徴とする。
【００１４】
さらに本発明の固定具は、前記溝部の下側は、折り曲げ部が形成されていることを特徴とする。
さらに本発明の固定具は、前記２つの側面部間の内幅寸法は、前記角バーの外幅寸法より一定以上大きくとっていることを特徴とする。
さらに本発明の固定具は、前記側面部の中央付近には、内側に膨らむ突起部を有することを特徴とする。
【発明の効果】
【００１５】
本発明によれば、スプリンクラーの取り付けに使用する角バーと取り付けフレームとを固定する固定具において、作業性を向上させることができる。
【図面の簡単な説明】
【００１６】
【図１】本発明の固定具の一実施形態を示す側面図である。
【図２】本発明の固定具の一実施形態を示す正面図である。
【図３】本発明の固定具の一実施形態を示す上面図である。
【図４】本発明の固定具に取付けフレームを設置するときの状態の一例を示す図である。
【図５】本発明の固定具と取付けフレームの第１の状態を示す図である。
【図６】本発明の固定具と取付けフレームの第２の状態を示す図である。
【図７】従来の固定具の例を示す側面図である。
【図８】従来の固定具の例を示す正面図である。
【発明を実施するための形態】
【００１７】
本発明を実施するための形態を説明する。
【００１８】
図１は、本発明の固定具１０の一実施形態を示す側面図であり、同じく図２は、正面図、図３は上面図である。
【００１９】
固定具１０は、平行に配置される２つの側面部１１、１１とそれらの端部を接続する上面部１２とを有するコの字形状である。上面部１２の中央部分の近傍には、雌ねじ部１４を有している。また、側面部１１、１１には、それぞれ、溝部１５と、溝部１５の下側に設けられる折り曲げ部１７と、内側に膨らんだ突起部１９を有している。固定具１０は、例えば、１．２〜１．６ｍｍ厚程度の金属製の薄板をプレス加工することにより作成可能となる。
【００２０】
溝部１５は、側面部１１の側端から横方向に延びる切欠きであり、一方に入口１５ａを有して開口しており、他方が奥側面１５ｂとなっている。そして、後述するように、取付フレーム１３０の側部１３１を挿入するのにふさわしい大きさに形成されている。さらに、溝部１５の入口側には、延長部１６を有しており、取付フレーム１３０の落下を防止する。
【００２１】
延長部１６は、一定の厚みで、溝部１５の入口側の側面に上部から延びるように形成されている。延長部１６の下端１６ａは、取付フレーム１３０の側部１３１を溝部１５の下面（折り曲げ部１７の上面１７ａ）に設置した際に、側部１３１の上面よりも下側に位置するように、形成されている。例えば、寸法例を挙げれば、側部１３１の厚みが１．０ｍｍであれば、側部１３１の上面よりも、延長部１６の下端１６ａが０．３ｍｍ程度下に延長されるようになっている。これにより、取付フレーム１３０の溝部１５からの落下を防止する。
【００２２】
溝部１５の奥側面１５ｂから延長部１６の内側側面までの横幅は、取付フレーム１３０の側部１３１の全長よりよりやや大きい寸法なっている。また、溝部１５の高さ（折り曲げ部１７の上面１７ａから溝部１５の上側面１５ｃまでの寸法）は、側部１３１を挿入する際に、側部１３１を斜めに入れられる余裕を有している。すなわち、側部１３１を溝部１５の下側に設置しても上部に隙間を有する寸法となっている。そして、溝部１５の入口１５ａは、延長部１６の下面端部と、折り曲げ部１７の側部の間に形成され、取付フレーム１３０の厚みより広い寸法となっている。
【００２３】
折り曲げ部１７は、一定幅を９０°外側に折り曲げて溝部１５の下側に形成されている。これにより、取付フレーム１３０の側部１３１を受ける面積を広くすることができる。なお、折り曲げ方向は内側でもよい。そして、折り曲げ部１７はプレス加工により行える。このようにすることで、角バー１２０と取付フレーム１３０を圧着固定する際に固定具１０と取付フレーム１３０の接触面積が折り曲げ部１７の接触面積分増大することで、取付フレーム１３０の長手方向への滑り抵抗が増えることが見込める。
【００２４】
突起部１９は、側面部１１、１１の中央付近に縦長に設けられ、ちょうど、角バー１２０の設置高さに合わせて形成されている。固定具１０の側面部１１、１１間の内幅寸法は、角バー１２０の外幅寸法よりも一定以上の余裕をもって大きいものとなっている。そして、側面部１１、１１に設けられた突起部１９、１９間の寸法は、角バー１２０の幅寸法よりわずか大きい程度になっており、角バー１２０の幅方向の位置決めを行える。このようにすることで、図３に示すように、角バー１２０を一定角度の範囲内で振れるようにでき、障害物を避けることができる。例えば、寸法例として、角バー１２０の寸法を１６ｍｍ×１６ｍｍとすれば、固定具１０のコの字形状の内幅寸法を２０ｍｍとして、左右に１０°ずつ、合計２０°程度、角バー１２０を振れるようにして、設置の際の角度調整を可能とすることができる。
【００２５】
雌ねじ部１４は、溶接ナットの取付や直接のネジ加工等により形成可能である。蝶ボルト１１０を螺合させて貫通する。
【００２６】
また、角バー１２０は、上述したように矩形のバーであり、例えば、断面１６ｍｍ×１６ｍｍで、厚さ０．６ｍｍ程度の矩形パイプが使用される。
【００２７】
また、取付フレーム１３０も、上述したように２つの側部１３１、１３１と、それらを接続する中央部１３２によって構成されるコの字上のフレームである。
【００２８】
次に実際の固定具１０による固定を説明する。
【００２９】
図４は、本発明の固定具１０に取付けフレーム１３０を設置するときの状態の一例を示す図である。延長部１６があるため、取付フレーム１３０の側部１３１を横から平行に溝部１５に入れることができない。そのため、図４に示すように、取付フレーム１３０の側部１３１の端部を、溝部１５の入口１５ａから斜め上に向けて入れていく。これは、溝部１５内の高さ方向の空間に余裕を持たせているため可能となる。そして、図１に示す位置に配置される。
【００３０】
図５は、本発明の固定具と取付けフレームの第１の状態を示す図である。取付フレーム１３０の側部１３１を溝部１５内に配置した状態で、溝部１５内で側部１３１が上側に動いても図５の二つの円で示す２箇所（溝部１５の上側面１５ｃと、折り曲げ部１７の入口１５ａ側の側面）で接触するため安定し、さらに、延長部１６により取付フレーム１３０の脱落が防止される。
【００３１】
図６は、本発明の固定具と取付けフレームの第２の状態を示す図である。取付フレーム１３０の側部１３１を溝部１５内に配置した状態で、固定具１０が右側に一定角度（α度（例えば１０°程度））延長部１６側に傾いても、図６の二つの円で示す２箇所（延長部１６の内側の側面と、折り曲げ部１７の上面１７ａ）で引っかかり取付フレーム１３０の脱落が防止される。
【００３２】
このように、実際に固定具１０を使用する際、取付フレーム１３０を溝部１５にあらかじめ設置しておけば、容易に脱落しないため、天井などでの狭い場所での作業がかなりやり易くなる。
【００３３】
そして、図１等に示すように、取付フレーム１３０（側部１３１）の上部には、角バー１２０を配置し、さらに、雌ねじ部１４に蝶ボルト１１０の雄ねじ部１１１を螺合させて貫通する。そして蝶ボルト１１０の頭部１１２を回転させると蝶ボルト１１０の先端が角バー１２０の上部に当接して角バー１２０を押す。さらに、角バー１２０の下側が、取付フレーム１３０の側部１３１の上側に当接して、側部１３１を押す。さらに、側部１３１の下側が、折り曲げ部１７の上面１７ａに当接する。このようにして、取付フレーム１３０と角バー１２０が固定具１０により固定される。
【符号の説明】
【００３４】
１０    固定具
１１    側面部
１２    中面部
１４    雌ねじ部
１５    溝部
１５ａ  入口
１５ｂ  奥側面
１５ｃ  上側面
１６    延長部
１６ａ  下端
１７    折り曲げ部
１７ａ  上面
１９    突起部
１１０    蝶ボルト
１１１    雄ねじ部
１１２    頭部
１２０    角バー
１３０    取付フレーム
１３１    側部
１３２    中央部
【図１】
2012019816.tif 000003
【図２】
2012019816.tif 000004
【図３】
2012019816.tif 000005
【図４】
2012019816.tif 000006
【図５】
2012019816.tif 000007
【図６】
2012019816.tif 000008
【図７】
2012019816.tif 000009
【図８】
2012019816.tif 000010